(57)【特許請求の範囲】
【請求項１】
複写機の下部に設置される複写機台の本体ハウジングの側板上端部に設けられた開口部から突出可能な運搬用把手であって、
板金製部材であり、少なくとも一端に設けられかつ前記側板の係合孔に仮固定するためのフックと、前記ハウジングにビス止めするための締結部とを有するケースと、
前記ケース内に摺動可能に収納され、前記ケースから突出可能な把手本体とを備え、
前記フックによる係合、仮固定によって、前記ケースと係合孔付き側板とが前記把手本体を囲むように構成され、
前記フックは、前記把手本体の突出方向を向くよう直角に屈曲する形状に形成されている、
運搬用把手。
【請求項２】
側板に開口部が設けられた事務機器の本体ハウジングから突出可能な運搬用把手であって、
断面コ字形状の板金製部材であり、前記コ字形状を構成する３つの面の一端側に突出して設けられかつ前記側板の前記係合孔に仮固定するためのフックと、前記ハウジングにビス止めするための締結部とを有するケースと、
前記ケース内に摺動可能に収納され、前記ケースから突出可能な把手本体とを備え、
前記フックによる係合、仮固定によって、前記ケースの３面と係合孔付き側板とが前記把手本体を囲むように構成され、
前記フックは、前記一端側の面の面方向に延びるとともに前記把手本体の突出方向を向くよう直角に屈曲するＬ字形状に形成されている、
運搬用把手。
【請求項３】
事務機器の本体ハウジングから突出可能な運搬用把手であって、
前記本体ハウジングに仮固定するためのフックと、前記ハウジングにビス止めするための締結部とを有するケースと、
前記ケース内に摺動可能に収納され、前記ケースから突出可能であるとともに、前記ケースから突出した状態で前記事務機器の上下方向に回動可能である把手本体とを備え、
前記事務機器は、前記把手本体が前記ケースから突出可能な開口部を有し、
前記把手本体は、前記ケースから突出した状態で前記開口部に係合可能な係合溝を有している、
請求項２に記載の運搬用把手。
【請求項４】
前記把手本体は、前記把手本体の側部から突出するピン状の突出部を有し、
前記ケースは、前記突出部が当接可能な壁部をさらに有する、
請求項３に記載の運搬用把手。
【請求項５】
前記突出部は前記把手本体に取り付けられている、請求項４に記載の運搬用把手。
【請求項６】
前記把手本体は、前記係合溝より突出方向側の部分に樹脂製の握り部を有している、請求項３から５のいずれかに記載の運搬用把手。
【請求項７】
前記ケースは、断面コ字形状の板金製部材であり、前記フックと共に前記ハウジングに仮固定するための係合突起をさらに有し、
それらフックと係合突起は、前記把手本体が突出する方向に一直線上に並んで配置されている、
請求項１または２に記載の運搬用把手。
【請求項８】
前記ケースは、前記把手本体が前記ケース内に収納される際の退入位置を規制する壁部を有している、請求項１または２に記載の運搬用把手。
【発明の詳細な説明】
【０００１】
【産業上の利用分野】
本発明は、運搬用把手、特に、事務機器の本体ハウジングから突出可能な運搬用把手に関する。
【０００２】
【従来の技術】
複写機等の事務機器を運搬するための運搬用把手が、たとえば、実公昭６０−２７３８９号公報に示されている。その運搬用把手は、ケーシングと、ケーシング内に摺動可能に収納された把手本体とを備えている。ケーシングは、本体ハウジングに締結するためのビス孔を有し、ビスにより本体ハウジングに締結される。
【０００３】
【発明が解決しようとする課題】
前記従来の運搬用把手では、事務機器のハウジングに運搬用把手を取り付ける際、ケーシングを所定の取付位置に固定するまでの間、ずれないように手で支えておく必要がある。このため、取り付け作業性が低い。
また、事務機器を搬送する際、事務機器のハウジングに対するケーシング締結部に荷重が集中する。このため、高強度化を図る必要があり、コストが増大する。
【０００４】
本発明の目的は、運搬用把手の取り付け作業を容易にし、かつ製造コストを低減することにある。
【０００５】
【課題を解決するための手段】
請求項１に記載の運搬用把手は、複写機の下部に設置される複写機台の本体ハウジングの側板上端部に設けられた開口部から突出可能な把手であって、ケースと、把手本体とを備えている。ケースは、板金製部材であり、少なくとも一端に設けられかつ側板の係合孔に仮固定するためのフックと、ハウジングにビス止めするための締結部とを有する。把手本体は、事務機器内に取り付けられ、ケース内に摺動可能に収納され、ケースから突出可能である。そして、フックによる係合、仮固定によって、ケースと係合孔付き側板とが把手本体を囲むように構成されている。また、フックは、把手本体の突出方向を向くよう直角に屈曲する形状に形成されている。
請求項２に記載の運搬用把手は、側板に開口部が設けられた事務機器の本体ハウジングから突出可能な把手であって、ケースと、把手本体とを備えている。ケースは、断面コ字形状の板金製部材であり、コ字形状を構成する３つの面の一端側に突出して設けられかつ側板の係合孔に仮固定するためのフックと、ハウジングにビス止めするための締結部とを有する。把手本体は、ケース内に摺動可能に収納され、ケースから突出可能である。そして、フックによる係合、仮固定によって、ケースの３面と係合孔付き側板とが把手本体を囲むように構成されている。また、フックは、一端側の面の面方向に延びるとともに把手本体の突出方向うを向くよう直角に屈曲するＬ字形状に形成されている。
請求項３に記載の運搬用把手は、請求項２の運搬用把手において、事務機器の本体ハウジングから突出可能な把手であって、ケースと、把手本体とを備えている。ケースは、本体ハウジングに仮固定するためのフックと、ハウジングにビス止めするための締結部とを有する。把手本体は、ケース内に摺動可能に収納され、ケースから突出可能であるとともに、ケースから突出した状態で事務機器の上下方向に回動可能である。そして、事務機器は、把手本体がケースから突出可能な開口部を有している。また、把手本体は、ケースから突出した状態で開口部に係合可能な係合溝を有している。
請求項４に記載の運搬用把手は、請求項３の運搬用把手において、把手本体は、把手本体の側部から突出するピン状の突出部を有している。ケースは、突出部が当接可能な壁部をさらに有する。
請求項５に記載の運搬用把手は、請求項４の運搬用把手において、突出部は把手本体に取り付けられている。
請求項６に記載の運搬用把手は、請求項３から５のいずれかの運搬用把手において、把手本体は、係合溝より突出方向側の部分に樹脂製の握り部を有している。
請求項７に記載の運搬用把手は、請求項１または２の運搬用把手において、ケースは、断面コ字形状の板金製部材であり、フックと共に本体ハウジングに仮固定するための係合突起をさらに有している。そして、それらフックと係合突起は、把手本体が突出する方向に一直線上に並んで配置されている。
請求項８に記載の運搬用把手は、請求項１または２の運搬用把手において、ケースは、把手本体がケース内に収納される際の退入位置を規制する壁部を有している。
【０００６】
【作用】
本発明に係る運搬用把手では、組立時において、フックによりケースを本体ハウジングに仮固定できる。このため、運搬用把手取り付け時の作業性が向上する。また、運搬用把手を用いて運搬する際、事務機器の荷重は締結部のみならずフックにも加わるので、締結部への荷重の集中が軽減される。このため、高強度化の要求が低減され、製造コストが低減される。
【０００７】
【実施例】
図１において、本発明の一実施例が採用された複写機１は、複写機本体２と、複写機本体２を下側から支持する複写機台３とを有している。複写機台３は、上下に並べられた複数個の給紙カセット４を有している。給紙カセット４内の用紙は、必要に応じて複写機本体２側に供給される。
【０００８】
複写機台３は、概ね箱状の部材であり、その両側板３ａ，３ｂの上端部に運搬用把手５を有している。運搬用把手５は、各側板３ａ，３ｂの装置奥側及び装置手前側にそれぞれ設けられており、合計で４個設けられている。
運搬用把手５の１つを図２及び図３に示す。この運搬用把手５は、板金製ケース１１と、ケース１１内に摺動可能に収納された把手本体１２とを備えている。ケース１１は、複写機台３の側壁面にビス１３を用いて固定されており、また把手本体１２の先端部が複写機台３に形成された開口１４を通じて外方に突出し得るようになっている。
【０００９】
ケース１１は、複写機台３の内側壁面側に向かい開いた概ねコ字状の断面形状を有しており、その内側壁面側端部には上下方向に延びる１対のブラケット１５を有している。また、ブラケット１５に隣接して、１対のフック１６及び係合突起１７を有している。フック１６の先端部には、直角方向に屈曲する形状に形成された突片１６ａが一体に形成されている。
【００１０】
さらに、ケース１１のフック１６側端部には、ケース１１内で把手本体１２の退入位置を規制するためのストッパー壁１８が設けられている。一方、ケース１１の開口１４側には、開口１４とほぼ同一の開口をケース１１に形成する程度に延びた別のストッパー壁１９が設けられている。前記ブラケット１５には、ビス１３が螺合する雌ねじ孔２０が設けられている。
【００１１】
把手本体１２は、断面が正方形状の棒状部材であり、その突出側前半部には樹脂製の握り部２１が設けられている。また、握り部２１よりも奥側において、把手本体１２には側方に突出するピン２２が取り付けられている。ピン２２は、把手本体１２を抜き出し方向に移動させたときに、ストッパー壁１９に当接することで、把手本体１２がケース１１から抜け出てしまうのを防止する。
【００１２】
ピン２２に隣接して、把手本体１２の上端面には溝２３が形成されている。溝２３は、把手本体１２の抜き出し姿勢において、複写機台３の開口１４部分に係合し得るようになっている。
複写機台３の側壁面において、フック１６及び係合突起１７に対応する位置にはそれぞれ係合孔３１，３２が設けられている。係合孔３１の位置及び大きさは、図２及び図３に示す固定状態において、係合孔３１にフック１６の突片１６ａが係合するように設定されている。
【００１３】
次に、上述の実施例の動作を説明する。
まず、運搬用把手５を複写機台３に取り付ける際には、ケース１１内に把手本体１２を収納した状態で、フック１６及び係合突起１７を係合孔３１，３２に挿入し、フック１６の突片１６ａを係合孔３１に係合させる。このとき、把手本体１２がケース１１よりも僅かに突出しているので、把手本体１２の先端が側板３ａの開口１４に嵌合される。これにより、ケース１１が複写機台３の側壁面に仮固定されたことになり、ケース１１を作業者が手で支えなくても、ケース１１を複写機台３の固定位置に保持できる。この状態で、ビス１３を複写機台３の外方から雌ねじ２０に螺合すれば、容易にケース１１を複写機台３の内側壁面に固定できる。
【００１４】
運搬用把手５を使用する際には、側板３ａから僅かに突出している把手本体１２を抜き出す。このとき、ピン２２がストッパー壁１９に図４のように当接することで、把手本体１２の適切な抜き出し姿勢が自動的に得られる。ここでは、溝２３が側板３ａの開口１４に対応している。
この状態で、把手本体１２を握り上方に持ち上げると、図５に示すように把手本体１２が僅かに上方に回動し、その結果、開口１４の上側縁に溝２３が係合する。また、把手本体１２の奥側下端部がケース１１の下側内壁面に当接する。これにより、把手本体１２の運搬時の姿勢が確定する。ここでは、開口１４に溝２３が係合しているので、把手本体１２がケース１１内に入り込む方向に荷重が付与された場合であっても、把手本体１２がケース１１内に入り込んでしまうことはない。
【００１５】
複写機１の運搬が終了すると、把手本体１２を図５の二点鎖線の姿勢から実線の姿勢に戻し、ケース１１内に収納する。
なお、複写機１の運搬時においては、ケース１１と複写機台３との間の連結部が受ける荷重は、ビス１３のみならず、フック１６及び係合突起１７にも分配されるので、荷重の集中が緩和される。したがって、ビス１３として小型で簡易なものを使用でき、コストが低減する。しかも、ケース１１として、角パイプではなく板金を用いているので、ケース１１の製造コストも低減できる。
【００１６】
【発明の効果】
本発明に係る運搬用把手は、事務機器の本体ハウジングに仮固定するためのフックを有するケースを備えているので、取り付け作業が容易になり、また製造コストが低減する。
【図面の簡単な説明】
【図１】本発明の一実施例が採用された複写機の斜視図。
【図２】その運搬用把手部分の一部切欠き側面図。
【図３】その一部切欠き横断面図。
【図４】その一動作状態を示す図３に相当する図。
【図５】その一動作状態を示す図２に相当する図。
【符号の説明】
１  複写機
３  複写機台
５  運搬用把手
１１  ケース
１２  把手本体
１５  ブラケット
１６  フック
【図１】
0003703501.tif 000002
【図２】
0003703501.tif 000003
【図３】
0003703501.tif 000004
【図４】
0003703501.tif 000005
【図５】
0003703501.tif 000006